(57)【要約】【課題】ＩＣタグを十分に大きな電力で駆動して、比較的遠くまで応答信号を送信できる識別情報付きケーブルとケーブル送電監視装置を提供する。【解決手段】ケーブル１０の被覆またはケーブルの付属品に固定されて所定の識別情報を記録したＩＣタグ１６と、このＩＣタグ１６に電気接続されて、ケーブル１０の周囲に発生する電磁界による誘導電流を取得する電源アンテナ２２と、この電源アンテナ２２の取得した誘導電流を駆動電力として、内部回路を動作させる電源制御回路２６とを備えている。ＩＣタグ１６は通信アンテナ３０で問い合わせ信号を受信すると、その受信電力で起動して、所定の識別情報を発信する。電源アンテナ２２がケーブル１０と電磁結合していると、誘導電流により起動用の電力が取得できる。【選択図】図１
2006004683.tif 000002
【特許請求の範囲】
【請求項１】
ケーブルの被覆またはケーブルの付属品に固定されて所定の識別情報を記録したＩＣタグと、
前記ＩＣタグに電気接続されて、前記ケーブルの周囲に発生する電磁界による誘導電流を取得する電源アンテナと、
前記電源アンテナの取得した誘導電流を駆動電力として、内部回路を動作させる電源制御回路とを備えたことを特徴とする識別情報付きケーブル。
【請求項２】
請求項１記載の識別情報付きケーブルにおいて、
前記電源アンテナは、前記ケーブルの誘導電界中に配置された一対の極板を含むコンデンサからなることを特徴とする識別情報付きケーブル。
【請求項３】
請求項１記載の識別情報付きケーブルにおいて、
前記電源アンテナは、前記ケーブルの誘導磁界と結合するループコイルからなることを特徴とする識別情報付きケーブル。
【請求項４】
ケーブルの被覆に固定され所定の識別情報を記録したＩＣタグと、前記ＩＣタグに電気接続されて、前記ケーブルの周囲に発生する電磁界により誘導電流を発生する電源アンテナとを備えた識別情報付きケーブルの、前記ＩＣタグの送信する識別情報を受信する受信装置と、
前記識別情報が受信できないとき、前記ケーブルの送電が停止したことを示す情報を生成して出力する情報送信装置とを備えたことを特徴とするケーブル送電監視装置。
【発明の詳細な説明】
【技術分野】
【０００１】
本発明は、ケーブルの誘導電流により起動用の電力を取得できるＩＣタグを備えた識別情報付きケーブルとケーブル送電監視装置に関する。
【背景技術】
【０００２】
ＩＣタグは、識別情報を記録して、所定のタイミングでその識別情報を発信する機能を持つ。このＩＣタグは、従来、商品に付けられたバーコードに代わって、広く商品等の情報表示用として多用されている。
【特許文献１】特開２００３−２０３５２７号公報
【発明の開示】
【発明が解決しようとする課題】
【０００３】
ケーブルにも、ＩＣタグを取り付けて、その識別情報を発信させることが可能である（特許文献１参照）。しかしながら、ＩＣタグは自分自身では電源を持たない。呼びだし信号等のわずかな電波を受信して、その受信電力を使って応答信号を返信する。このため、応答信号の到達距離が短いという問題がある。しかも、ケーブルの金属被覆等によりその電波が吸収されると、ますます応答信号を受信し難くなる。
【０００４】
本発明は、以上の課題を解決するためになされたもので、ＩＣタグを十分に大きな電力で駆動して、比較的遠くまで応答信号を送信し、各種の用途に利用できる識別情報付きケーブルとケーブル送電監視装置を提供することを目的とする。
【課題を解決するための手段】
【０００５】
本発明の各実施例においては、それぞれ次のような構成により上記の課題を解決する。
〈構成１〉
ケーブルの被覆またはケーブルの付属品に固定されて所定の識別情報を記録したＩＣタグと、上記ＩＣタグに電気接続されて、上記ケーブルの周囲に発生する電磁界による誘導電流を取得する電源アンテナと、上記電源アンテナの取得した誘導電流を駆動電力として、内部回路を動作させる電源制御回路とを備えたことを特徴とする識別情報付きケーブル。
【０００６】
ケーブルの付属品はケーブルを固定するためのクランプやストッパ等を含んでいる。ＩＣタグはアンテナで問い合わせ信号を受信すると、その受信電力で起動して、所定の識別情報を発信する。このアンテナがケーブルと電磁結合していると、誘導電流により起動用の電力が取得できる。起動タイミングは取得電力量と連動してもよいし、タイマ等でトリガしてもよい。また、例えば、コンデンサ等をチャージしておき、所定の呼びだし信号を受信したときに応答するとよい。ケーブルを固定するためのクランプやストッパ等にＩＣタグを取り付けておいても同様の効果がある。この電力により、比較的遠くまで、ＩＣタグに記録された情報を送信できる。
【０００７】
〈構成２〉
構成１記載の識別情報付きケーブルにおいて、上記電源アンテナは、上記ケーブルの誘導電界中に配置された一対の極板を含むコンデンサからなることを特徴とする識別情報付きケーブル。
【０００８】
電界中に１対の極板を配置すると、その極板間に誘導電圧が発生する。これにより、コンデンサにＩＣタグ駆動用の電力を蓄積する。
【０００９】
〈構成３〉
構成１記載の識別情報付きケーブルにおいて、上記電源アンテナは、上記ケーブルの誘導磁界と結合するループコイルからなることを特徴とする識別情報付きケーブル。
【００１０】
ケーブル外周に漏洩する交番磁束とループコイルを結合させれば、誘導電流により所定の電力が取得できる。整流回路等を使用してパッテリにその電力を蓄積できる。
【００１１】
〈構成４〉
ケーブルの被覆に固定され所定の識別情報を記録したＩＣタグと、上記ＩＣタグに電気接続されて、上記ケーブルの周囲に発生する電磁界により誘導電流を発生する電源アンテナとを備えた識別情報付きケーブルの、上記ＩＣタグの送信する識別情報を受信する受信装置と、上記識別情報が受信できないとき、上記ケーブルの送電が停止したことを示す情報を生成して出力する情報送信装置とを備えたことを特徴とするケーブル送電監視装置。
【００１２】
ＩＣタグを駆動して、ケーブルからの情報を発信したり、ケーブルの活線状況を伝えたりすることができる。
【発明を実施するための最良の形態】
【００１３】
以下、本発明の実施の形態を実施例ごとに詳細に説明する。
【実施例１】
【００１４】
図１（ａ）は実施例１の識別情報付きケーブルを示す横断面図、（ｂ）は実施例１で使用するＩＣタグを示す斜視図、（ｃ）は同ＩＣタグの具体例を示すブロック図である。
図１（ａ）に示すケーブル１０は、３本のケーブル芯１２の外周に被覆１４を被覆したものである。この例では、電力ケーブルの断面図を示したが、制御ケーブルや通信ケーブル等電流を流すケーブルならば、任意のケーブルに対して本発明が適用できる。
【００１５】
ケーブル１０の被覆１４の外側に、任意の数のＩＣタグ１６が取り付けられている。このＩＣタグ１６は、ケーブル１０の長手方向に沿って適当な間隔で装着されているとよい。ＩＣタグ１６は、図１（ｂ）に示すように、ベースフィルム１８の上にＩＣチップ２０と電源アンテナ２２とを搭載したものである。電源アンテナ２２は、ケーブル１０のケーブル芯１２に流れる電流により発生する磁束２４によって生じた誘導電流をＩＣチップ２０の駆動用電力に変えるものである。
【００１６】
さらに、ＩＣチップ２０は、図１（ｃ）に示すように、通信アンテナ３０と送信機３２と識別情報３４と受信機３６とを備える。電源アンテナ２２は電源制御回路２６を介して装置各部に電力を供給する。具体的には電源アンテナ２２に流れる電流をダイオード等で整流し、コンデンサに蓄積する。
【００１７】
図１（ｃ）に示す識別情報３４は、他の各ＩＣタグを互いに区別できるような情報を含んでいる。受信機３６が通信アンテナ３０を通じて問い合わせ信号４０を受信すると、送信機３２はそのタイミングで識別情報３４を通信アンテナ３０を通じて送信する。通信アンテナ３０から応答信号４２が送信される。
【００１８】
図２は、上記のようなＩＣタグを取り付けたケーブルの具体例を示すもので、（ａ）は、任意のケーブル５０の外側に、複数のＩＣタグ５１を所定間隔で装着した状態を示す図である。複数のＩＣタグ５１は、図１（ｂ）、（ｃ）で示したような送受信機能を持ち、さらにケーブル５０の導体に流れる電流を電源アンテナ２２で受信し、その電力で動作する。
【００１９】
図２（ｂ）は、電力ケーブルのような多心ケーブルに本発明を適用した例を示す図である。同図に示すように、多心ケーブル６０は、導体６１の外側に絶縁体６２が被覆され、さらに、その外側に金属シース６３とプラスチック防食層６４が順に被覆されて構成されている。
【００２０】
このような構成のケーブル６０は、理論的には外部に電磁界が発生しないよう設計されている。しかしながら、製造上のばらつきや環境が原因で極めて微量であるが、外部に様々な磁束が漏れ出す。また、金属シース６３にはケーブルの長手方向に沿ってシース電流が流れる。こうした電流による磁界も発生している。防食層６４の外側に固定されたＩＣタグ６５は、この磁界の影響を受けて駆動電力を得る。
【００２１】
図２（ｃ）は多数のケーブルが同時に布設された場所の例を示す説明図である。同図に示すように、多数のケーブル７０、７１、７２、７３は、いずれもその外部に所定の間隔でＩＣタグ７５を取り付けている。各ＩＣタグ７５は、それぞれ各ケーブルを区別することができるような情報を発信している。
【００２２】
各ケーブルに取り付けられたＩＣタグ７５は、それぞれそのケーブルに流れる電力によって動作し、隣接するケーブルの導体に流れる電流では、動作しないように設計されている。従って、例えば、このように多数のケーブルが並べて、あるいは束ねて布設されているときに、全てのケーブルからＩＣタグ７５を介して識別情報を受信することができる。
【００２３】
ところが、何らかの事故によりいずれか１本のケーブルが破損したとする。この場合には、導体に電流が流れていないケーブルは、識別情報を発信しないから、例えば、どのケーブルが故障しているかを様々な測定器を使用することなく容易に判断することができる。
【００２４】
図３は電源アンテナの構造の説明図である。
既に、図３（ａ）に示すように、電源アンテナ２２は、ケーブルの周辺に発生する磁束２４によって電力を得る。通信ケーブルも電力ケーブルも、また一般家庭用の配電ケーブルも必ず外部に微量な電磁界を漏らせている。どんなに厳密に遮蔽をしてもケーブルの被覆に接する部分では、必ず微小な電磁界を検出できる。この電磁界があれば、ＩＣタグは十分強力に起動する。こうしたＩＣタグの利点を利用して、本発明ではこの電力を利用する。
【００２５】
電源アンテナ２２は、ケーブルの誘導磁界と結合するループコイルからなるものでもよい。ケーブル外周に漏洩する交番磁束とループコイルを結合させれば、誘導電流により所定の電力を取得できる。整流回路等を使用してパッテリにその電力を蓄積することも可能である。
【００２６】
また、ケーブルと地面との間には一定の電磁界が生じる。その電磁界を、図３（ｂ）に示すようなコンデンサの１対の極板８１と極板８２で受ける。すなわち、このコンデンサを充電してリード線８３を通じて電力を取得する。なお、図１（ｃ）に示した電源制御回路２６には、ダイオード８４と電解コンデンサ８５が設けられている。これによって電解コンデンサ８５が充電される。その電力があれば、ＩＣタグは十分に動作する。
【００２７】
次に、本発明のケーブル送電監視装置について説明する。
このケーブル送電監視装置は、ケーブルの被覆に固定され所定の識別情報を記録したＩＣタグ及びこのＩＣタグに電気接続されて、ケーブルの周囲に発生する電磁界により誘導電流を発生するアンテナを備えた識別情報付きケーブルの、ＩＣタグの送信する識別情報を受信する受信装置と、当該識別情報が受信できないとき、ケーブルの送電が停止したことを示す情報を生成して出力する情報送信装置とを備えたものである。このケーブル送電監視装置の具体例を、図４及び図５に基づいて説明する。
【００２８】
図４は通電動作を停止しているケーブルを検出する検査装置の説明図で、（ａ）は検査装置１００の全体構造を示す斜視図、（ｂ）は同検査装置の具体例を示すブロック図である。
例えば、図２（ｂ）に示すような多数のケーブル７０〜７３の中から動作を停止しているケーブルを検出するには、図４に示したような検査装置１００を使用する。
【００２９】
すなわち、この検査装置１００は、図４（ｂ）に示すように、送信部１０１と受信部１０２と問い合わせ信号生成部１０３と記憶装置１０４と通信アンテナ１０６を備える。記憶装置１０４には、測定データ１０５が記憶されている。この検査装置１００は、例えば、携帯をして持ち歩き、ケーブルが布設された現場に行ってケーブルと通信を行う装置である。
【００３０】
問い合わせ信号生成部１０３が問い合わせ信号を生成し、送信部１０１が問い合わせ信号を送信する。これが通信アンテナ１０６から発信されると、ケーブルに取り付けられた全てのＩＣタグが一斉にあるいは適当な間隔を置いて応答信号を発信する。これを受信部１０２で受信する。なお、受信した測定データ１０５は、記憶装置１０４に記憶される。そして、測定データ１０５が蓄積されると、図５に示す解析部１１４で解析される。
【００３１】
図５は、検査装置１００の使用例を示すブロック図である。
図５において、検査装置１００が収集した測定データ１０５（図４）は、通信アンテナ１０６を通じてコンピュータ１１０に送信される。コンピュータ１１０は、データ解析に使用される一般的なコンピュータである。
【００３２】
コンピュータ１１０は、記憶装置１１２と解析部１１４とを備える。解析部１１４は、記憶装置１１２に記憶されたデータベース１１３に基づいて一定の解析処理を実行するコンピュータプログラムである。検査装置１００から測定データ１０５が入力すると、これはデータベース１１３の中に書き込まれる。
【００３３】
これを取り出すと同時に既に特定の場所に布設されたケーブルの識別コードを読み出す。図５に示す表示画面１１１には、解析結果１１５が表示されている。この解析結果１１５には、布設されているケーブルの識別情報、Ｒ１からＲ５とそのケーブルが動作しているかどうかを示す結果が表示されている。ケーブルが動作していれば、そのケーブルに貼り付けられたＩＣタグからそのケーブルの識別情報が送信される。
【００３４】
これを検査装置１００が受信し、それをコンピュータ１１０に伝えると、そのケーブルが動作しているという結果を解析部１１４が出力する。これが解析結果１１５に含められる。もし、その場所に布設されているということがデータベース１１３で示されていても、該当する識別情報が受信されない場合には、そのケーブルは動作していない、ということがわかる。こうした方法によって、ケーブルの動作状態や障害発生情報を検出することも可能である。
【００３５】
以上説明したように、本発明によれば、何らかの形式で電流を流すケーブルの外被にＩＣタグを取り付け、そのケーブルに流れた電流による微小な漏れ磁束や電磁波をアンテナで捉え、そこで取得した電気エネルギーをＩＣタグの駆動源とする。これによってＩＣタグは強力な電波を送信することができる。このため、応答信号を例えば、壁の裏側から受信し、あるいは床下や天井の中から受信することが可能になる。
【００３６】
また、こうしてケーブルに流れる電流を電力にして動作するから、ケーブルに電流が流れなくなると、通常通りの送信機能を失う。この信号を受け入れて、同一の場所に布設されている多数のケーブルの中から、電流の流れていないケーブルを区別し、必要な情報を表示出力して、対応することも可能になる。
【図面の簡単な説明】
【００３７】
【図１】実施例１の識別情報付きケーブルを示す図で、（ａ）は同ケーブルの横断面図、（ｂ）は実施例１で使用するＩＣタグを示す斜視図、（ｃ）は同ＩＣタグの具体例を示すブロック図である。
【図２】実施例１で使用するＩＣタグを取り付けたケーブルの具体例を示す図で、（ａ）は、任意のケーブルの外側に、複数のＩＣタグを所定間隔で装着した状態を示す説明図、（ｂ）は、電力ケーブルのような多心ケーブルに本発明を適用した例を示す説明図、（ｃ）は多数のケーブルが同時に布設された場所の例を示す説明図である。
【図３】実施例１で使用する電源アンテナを示す図で、（ａ）は電源アンテナの概略を示す説明図、（ｂ）は電源アンテナに設けられたコンデンサを示す説明図である。
【図４】本発明に係わる通電動作を停止しているケーブルを検出する検査装置を示す図で、（ａ）は検査装置の全体構造を示す斜視図、（ｂ）は同検査装置の具体例を示すブロック図である。
【図５】同検査装置の使用例を示すブロック図である。
【符号の説明】
【００３８】
１０  ケーブル
１２  ケーブル芯
１４  被覆
１６  ＩＣタグ
１８  ベースフィルム
２０  ＩＣチップ
２２  電源アンテナ
２４  磁束
２６  電源制御回路
３０  通信アンテナ
３２  送信機
３４  識別情報
３６  受信機
４０  問い合わせ信号
４２  応答信号
【図１】
2006004683.tif 000003
【図２】
2006004683.tif 000004
【図３】
2006004683.tif 000005
【図４】
2006004683.tif 000006
【図５】
2006004683.tif 000007